(57)【要約】【課題】  複数のディスクよりダビングされた音声データを瞬時に再生できる仮想ディスクチェンジャ機能付き音声再生装置を提供する。【解決手段】  複数のディスク１に記録された音声データを、複数のデータ保存場所２０ａ〜２０ｆにそれぞれダビングし、データ保存場所にそれぞれ対応する複数のダイレクトキー２５ａ〜２５ｆを設け、一つのダイレクトキーを操作することによって対応するデータ保存場所に保存された音声データが瞬時に再生される。【選択図】図１
2007193926.tif 000002
【特許請求の範囲】
【請求項１】
音声データが記録されているディスク（１ａ，１ｂ，・・・）を、１つずつ装填可能なディスク装填部（１１）と、
複数のデータ保存場所（２０ａ〜２０ｆ）を有するデータ保存部（１３）と、
前記ディスク装填部に装填されたディスクに記録されている音声データを該ディスクに固有の識別番号を付して、指定されたデータ保存場所にダビングするダビング部（１２）と、
指定されたデータ保存場所に保存されている音声データを再生する再生部（１４）と、
再生中の、又は保存しようとしている音声データの音声データ保存場所を表示するデータ保存場所表示部（２３）、及び前記各データ保存場所を指定する複数のダイレクトキー（２５ａ〜２５ｆ）を有すると共に、前記各データ保存場所に保存されている音声データの保存量を表示するフロントパネル（１８）と、
前記ディスク装填部、ダビング部、データ保存部、再生部及び表示部の各動作を適宜関連付けて制御する制御部（１６）とを備えた仮想ディスクチェンジャ機能付き音声再生装置。
【請求項２】
前記フロントパネルは、前記各データ保存場所に対応する複数の表示体（２４ａ〜２４ｆ）を有し、各表示体は各データ保存場所に保存されている音声データの保存量を表示することを特徴とする請求項１に記載の仮想ディスクチェンジャ機能付き音声再生装置。
【請求項３】
前記データ保存部は、ディスクに記録されている音声データを圧縮された状態で保存することを特徴とする請求項１又は２に記載の仮想ディスクチェンジャ機能付き音声再生装置。
【請求項４】
前記データ保存部は、ハードディスク又は半導体メディアであることを特徴とする請求項１〜３に記載の仮想ディスクチェンジャ機能付き音声再生装置。
【請求項５】
前記フロントパネルはダビングキー（２８）を更に有し、ダビングキー操作後に前記ダイレクトキーでデータ保存場所を指定することにより、前記ダビング部により指定されたデータ保存場所へのダビングを開始させ、ダビングキーを操作せず前記ダイレクトキーでデータ保存場所を指定することにより、前記再生部により指定されたデータ保存場所の音声データの再生を開始させることを特徴とする請求項１〜４に記載の仮想ディスクチェンジャ機能付き音声再生装置。
【請求項６】
前記ダイレクトキーは、操作時間の長短により、前記再生部による再生開始操作と、前記ダビング部によるダビング開始操作との区別をすることを特徴とする請求項１〜４に記載の仮想ディスクチェンジャ機能付き音声再生装置。
【請求項７】
前記フロントパネルは、一操作ごとに前記データ保存場所をそれらの配列の正順に切換える識別番号アップキー（２７ａ）及び一操作ごとに前記データ保存場所をそれらの配列の逆順に切換える識別番号ダウンキー（２７ｂ）からなる識別番号アップ／ダウンキー部（２７）を更に有することを特徴とする請求項１〜６に記載の仮想ディスクチェンジャ機能付き音声再生装置。
【請求項８】
各ディスクに記録されている音声データは複数のトラックに区画されているものとし、前記フロントパネルは、各データ保存場所に保存されている音声データの中から再生部で再生しようとするトラックを一操作ごとに配列の正順に切換えるトラックアップキー（２６ａ）及び一操作ごとに配列の逆順に切換えるトラックダウンキー（２６ｂ）からなるトラックアップ／ダウンキー部（２６）を更に有することを特徴とする請求項１〜７に記載の仮想ディスクチェンジャ機能付き音声再生装置。
【請求項９】
前記識別番号アップ／ダウンキー部の識別番号アップキー及び識別番号ダウンキーと、前記トラックアップ／ダウンキー部のトラックアップキー及びトラックダウンキーとを、その一方を縦配列、他方を横配列として十字状に配置したことを特徴とする請求項８に記載の仮想ディスクチェンジャ機能付き音声再生装置。
【請求項１０】
前記制御部は、ディスク装填部に装填されたディスクの音声データの識別番号及び保存量と各データ保存場所の識別番号及び保存量とを判別する判別部（21）を更に備えたことを特徴とする請求項１〜９に記載の仮想ディスクチェンジャ機能付き音声再生装置。
【請求項１１】
前記ダビング部で音声データのダビングをする際、指定されたデータ保存場所にディスクの音声データと異なる識別番号の音声データが既に保存されていると、前記判別部が判別したときは、前記制御部は、前記ダビング部に、指定されたデータ保存場所に新たな音声データを上書きさせることを特徴とする請求項１０に記載の仮想ディスクチェンジャ機能付き音声再生装置。
【請求項１２】
前記ダビング部で音声データのダビングをする際、指定されたデータ保存場所にディスク装填部に装填されたディスクの音声データと識別番号が同一の音声データの全てが既に保存されていると、前記判別部が判別したときは、前記制御部は、前記データ保存場所表示部に、同一音声データが保存されていることを表示させることを特徴とする請求項１０に記載の仮想ディスクチェンジャ機能付き音声再生装置。
【請求項１３】
前記ダビング部で音声データのダビングをする際、指定されたデータ保存場所にディスク装填部に装填されたディスクの音声データと識別番号が同一の音声データの一部が既に保存されていると、前記判別部が判別したときは、前記制御部は、前記ダビング部に、保存済みトラックの次のトラックの音声データから続きのダビングを行なわせることを特徴とする請求項１０に記載の仮想ディスクチェンジャ機能付き音声再生装置。
【請求項１４】
前記複数の表示体は、各音声データ保存場所における音声データの保存量をグラフィック表示することを特徴とする請求項２に記載の仮想ディスクチェンジャ機能付き音声再生装置。
【請求項１５】
前記グラフィック表示を円グラフ表示とすることを特徴とする請求項１４に記載の仮想ディスクチェンジャ機能付き音声再生装置。
【請求項１６】
前記各ダイレクトキーをタッチパネルで形成し、各ダイレクトキーと前記表示体とを一体化したことを特徴とする請求項２、１４又は１５に記載の仮想ディスクチェンジャ機能付き音声再生装置。
【請求項１７】
前記音声データの保存量の表示は、ディスクに記録された全音声データ量に対するデータ保存場所に保存された音声データ量の割合を表示することを特徴とする請求項１４〜１６に記載の仮想ディスクチェンジャ機能付き音声再生装置。
【発明の詳細な説明】
【技術分野】
【０００１】
本発明は、複数枚のディスクに記録された音声データを適宜保存しておき、あたかもディスクを選択するように操作して、保存された音声データの再生を行なう仮想ディスクチェンジャ機能付き音声再生装置に関する。
【背景技術】
【０００２】
従来、音声データを記録し且つ記録された音声データを再生する音声再生装置は、種々提案されている。
【０００３】
特許文献１には、複数枚のＣＤに記録された音声データをＭＰ３などの形式で圧縮して1枚のＣＤ−Ｒに収録し、ＣＤ−Ｒに収録された音声データを、適宜再生する装置が開示されている。この装置では、ＣＤ−Ｒに収録した音声データは、元のＣＤの識別番号を付したフォルダ単位で区分けされ、個々の音声データにはトラックごとにトラック番号が付される。
【０００４】
そこで、元のＣＤに記録された音声データが複数の曲よりなる音楽データの場合、聴きたい曲を再生するには、まず、聴きたい曲が入っている音楽データの識別番号（フォルダ名）を選択し、その後、その曲のトラック番号を選択する。識別番号を選択する上キー、下キーと、トラック番号を選択する右キー、左キーとは縦横に十字状に配置されている（図４）。
【０００５】
また、識別番号及びトラック番号を表示する表示部についての記載はないが、選曲のためには、表示部が必要と思われる。そこで、選曲は表示部を見ながら上キー、下キー、右キー、左キーを必要回数押すことによって行なうことになる。
【０００６】
特許文献２には、複数枚のＣＤに記録された音声データをＬＰモードなどで圧縮して１枚のＭＤに収録し、ＭＤに収録された音声データを適宜再生する装置が開示されている。通常、複数枚のＣＤに記録された、複数の曲よりなる音楽データを１枚のＭＤに収録した場合、ＣＤごとに区分けされずに全曲に連番（トラック番号）が付されるが、特許文献２の再生装置では、元のＣＤごとに識別番号が付されて区分けされ、更に各曲ごとにトラック番号が付される。また、表示部には曲番やタイトルが表示され、手動操作部で録音・再生部を制御する。
【０００７】
前記手動操作部の構成についての明確な記載はないが、仮に、操作部の構成を、特許文献１のように上キー、下キー、右キー、左キーよりなるものとすると、聴きたい曲を再生する場合、表示部を見ながら、まず、上キー、下キーを必要回数押して聴きたい曲が入っている音楽データの識別番号（フォルダ名）を選択し、その後、右キー、左キーを必要回数押してその曲のトラック番号を選択することになる。
【０００８】
特許文献３には、大容量の記録媒体に音声データをカテゴリ別に記録し、カテゴリ分類された音声データを、あたかもオートチェンジャ装置内のディスクを選択するように操作して再生を行なう記録媒体再生装置が開示されている。表示器には、各仮想記録媒体に対応するディスクタイトル名、チェンジャ番号，曲名等が表示される、との記載もある。
【０００９】
操作部の具体的な構成については明らかにされていないが、仮に特許文献１のように上キー、下キー、右キー、左キーよりなる構成にしたとすると、聴きたい曲を再生する場合、表示器の表示を見ながら、まず、上キー、下キーを必要回数押して聴きたい曲が入っている仮想記録媒体を選択し、その後、右キー、左キーを必要回数押して聴きたい曲を選択することになる。
【００１０】
特許文献４には、追記書込メディアのセッション毎に仮想ディスク化し、操作パネルには仮想ディスクを選択するディスクアップ／ダウンキーと曲番号を選択する曲番号アップ／ダウンキーとを設け、表示部にはディスク番号、曲番号及び曲名を表示するようにしたオーディオ装置が開示されている。
【００１１】
このオーディオ装置においても、聴きたい曲を再生する場合、表示部の表示を見ながら、ディスクアップ／ダウンキーを必要回数押して仮想ディスクを選択し、続いて曲番号アップ／ダウンキーを必要回数押して曲の選択を行なわねばならない。
【特許文献１】特開２００４−２９６０８３号公報
【特許文献２】特開２００５−１２９１６２号公報
【特許文献３】特開２００２−１２４０１０号公報
【特許文献４】特開２００２−２２２５８５号公報
【発明の開示】
【発明が解決しようとする課題】
【００１２】
特許文献１の装置では、ユーザーが、ＣＤ−Ｒに収録された曲の中から、再生したい曲を選択する場合、表示部を凝視しながら上キー、下キーを必要回数押してその曲が入っている音楽データの識別番号を選択し、次に表示部を見ながら右キー、左キーを必要回数押してトラック番号を選択しなければならず、選曲操作が面倒であった。特に、車載オーディオとして使用する場合、表示部を凝視しながら上キーと下キーを何度も押してデータ保存場所の選択を行なうと、運転の安全性が妨げられる恐れもあった。
【００１３】
特許文献２には操作部の構成が明記されていないが、仮に特許文献１のように上キー、下キー、右キー、左キーよりなるものとすると、特許文献１に記載された装置と同様、表示部を凝視しながら上キー、下キーを必要回数押して識別番号を選択した後、右キー、左キーを必要回数押してトラック番号を選択しなければならない面倒があり、車載オーディオとして使用する場合は、表示部を凝視しながら上キー、下キーを何度も押してデータ保存場所の選択を行なうと、運転の安全性が妨げられる恐れもあった。
特許文献３及び特許文献４のいずれに記載された装置においても、同様の問題があった。
【００１４】
本発明はこのような問題を解決するためになされたもので、表示部を凝視しなくても、再生したい曲が保存されている保存場所を瞬時に、かつ容易に選択でき、車載オーディオとして使用する場合でも運転の安全性を妨げることのない、仮想ディスクチェンジャ機能付き音声再生装置を提供することを目的とする。
【課題を解決するための手段】
【００１５】
音声データが記録されているディスクを、１つずつ装填可能なディスク装填部と、複数のデータ保存場所を有するデータ保存部と、前記ディスク装填部に装填されたディスクに記録されている音声データを該ディスクに固有の識別番号を付して、指定されたデータ保存場所にダビングするダビング部と、指定されたデータ保存場所に保存されている音声データを再生する再生部と、再生中の、又は保存しようとしている音声データの音声データ保存場所を表示するデータ保存場所表示部、及び前記各データ保存場所を指定する複数のダイレクトキーを有すると共に、前記各データ保存場所に保存されている音声データの保存量を表示するフロントパネルと、前記ディスク装填部、ダビング部、データ保存部、再生部及び表示部の各動作を適宜関連付けて制御する制御部とを備えた。
【００１６】
前記フロントパネルには、前記各データ保存場所に対応する複数の表示体を設け各表示体が、各データ保存場所に保存されている音声データの保存量を表示するようにすると良い。
【００１７】
前記データ保存部は、ディスクに記録されている音声データを圧縮された状態で保存すると良い。また、データ保存部は、ハードディスク又は半導体メディアで構成すると良い。更に、ダビングの際も再生の際もダイレクトキーでデータ保存場所を指定することになるので、ダビング操作と再生操作とを区別するために、前記フロントパネルには、ダビングキーを設けておき、ダビングキー操作後に前記ダイレクトキーでデータ保存場所を指定することにより、指定されたデータ保存場所へのダビングを開始させ、ダビングキーを操作せず前記ダイレクトキーでデータ保存場所を指定することにより、指定されたデータ保存場所の音声データの再生を開始させるようにすると良い。
【００１８】
また、前記ダイレクトキーの操作時間の長短により、前記再生部による再生開始操作と、前記ダビング部によるダビング開始操作との区別をするようにしても良い。また、前記フロントパネルには、一操作ごとに前記データ保存場所をそれらの配列の正順に切換える識別番号アップキー及び前記データ保存場所をダウンする識別番号ダウンキーからなる識別番号アップ／ダウンキー部を更に設けると良い。
【００１９】
更に、各ディスクに記録されている音声データは複数のトラックに区画されているものとし、前記フロントパネルは、各データ保存場所に保存されている音声データの中から再生部で再生しようとするトラックを一操作ごとに配列の正順に切換えるトラックアップキー及び一操作ごとに配列の逆順に切換えるトラックダウンキーからなるトラックアップ／ダウンキー部を更に設けると良い。そして、前記識別番号アップ／ダウンキー部の識別番号アップキー及び識別番号ダウンキーと、前記トラックアップ／ダウンキー部のトラックアップキー及びトラックダウンキーとを、その一方を縦配列、他方を横配列として十字状に配置すると良い。
【００２０】
前記制御部には、ディスク装填部に装填されたディスクの音声データの識別番号及び保存量と各データ保存場所の識別番号及び保存量とを判別する判別部を更に備えると良い。そして、前記ダビング部で音声データのダビングをする際、指定されたデータ保存場所にディスクの音声データと異なる識別番号の音声データが既に保存されていると、前記判別部が判別したときは、前記制御部は、前記ダビング部に、指定されたデータ保存場所に新たな音声データを上書きさせるようにすると良い。
【００２１】
また、前記ダビング部で音声データのダビングをする際、指定されたデータ保存場所にディスク装填部に装填されたディスクの音声データと識別番号が同一の音声データの全てが既に保存されていると、前記判別部が判別したときは、前記制御部は、前記データ保存場所表示部に、同一音声データが保存されていることを表示させるようにすると良い。
【００２２】
更に、前記ダビング部で音声データのダビングをする際、指定されたデータ装填部にディスク装填部に装填されたディスクの音声データと識別番号が同一の音声データの一部が既に保存されていると、前記判別部が判別したときは、前記制御部は、前記ダビング部に、保存済みトラックの次のトラックの音声データから続きのダビングを行なわせるようにすると良い。
【００２３】
前記複数の表示体は、各音声データ保存場所における音声データの保存量をグラフィック表示するものにすると良く、特に、グラフィック表示を元のデータが記録されているＣＤをイメージできる円グラフ表示とすると良い。また、前記各ダイレクトキーをタッチパネルで形成し、各ダイレクトキーと前記表示体とを一体化しても良い。更に、前記音声データの保存量の表示は、ディスクに記録された全音声データ量に対するデータ保存場所に保存された音声データ量の割合を表示するようにすると良い。
【発明の効果】
【００２４】
本発明によれば、複数のディスクの音声データを、複数のダイレクトキーに対応する複数のデータ保存場所に保存することができ、聴きたい音声データが保存されているデータ保存場所に対応したダイレクトキーを１回操作することによって、表示部を凝視しなくても容易にデータ保存場所を選択できる。これによって、車載オーディオとして使用する場合でも運転の安全性を妨げることのない、仮想ディスクチェンジャ機能付き音声再生装置を提供できる。
【００２５】
また、前記データ保存部に、ディスクに記録されている音声データを圧縮された状態で保存すると、数多くの音声データを保存することができる。更に、データ保存部をハードディスク又は半導体メディアで構成すると、小さいスペースで大容量の音声データを保存することができる。
【００２６】
前記ダイレクトキーの操作時間の長短により、前記再生部による再生開始操作と、前記ダビング部によるダビング開始操作とを区別するようにすると、共通のダイレクトキーで２種類の操作を兼用できるので、構成を簡素化することができる。
【００２７】
また、フロントパネルに、一操作ごとに前記データ保存場所をそれらの配列の正順に切換える識別番号アップキー及び一操作ごとに前記データ保存場所をそれらの配列の逆順に切換える識別番号ダウンキーからなる識別番号アップ／ダウンキー部を更に設けると、音声データ再生中に、識別番号を１番ずつ切換えて、再生データの切換えを行いたいときには、便利である。
【００２８】
更に、前記フロントパネルに、再生部で再生しようとする音声データトラックのトラックを一操作ごとに配列の正順に切換えるトラックアップキー及び該トラックを一操作ごとに配列の逆順に切換えるトラックダウンキーからなるトラックアップ／ダウンキー部を更に設けると、トラックアップキーを１回押すごとにトラックをアップすることができ、トラックダウンキーを１回押すごとにトラックをダウンすることができる。
【００２９】
そして、前記識別番号アップ／ダウンキー部の識別番号アップキー及び識別番号ダウンキーと、前記トラックアップ／ダウンキー部のトラックアップキー及びトラックダウンキーとを、その一方を縦配列、他方を横配列として十字状に配置すると、音声データ再生中、識別番号を１番ずつ切換え、続いてトラックを１番ずつ切換えたい場合、識別番号選択用のキーとトラック選択用のキーが縦方向と横方向で明確に区別でき、しかも一箇所にまとまっているので、手探りで容易に操作でき操作性が向上する。
【００３０】
前記制御部に、ディスク装填部に装填されたディスクの音声データの識別番号及び保存量と各データ保存場所の識別番号及び保存量とを判別する判別部を更に備えると、制御部は、この判別部の判別結果に基づいて、ダビング部、表示部等を、状況に応じて適切に制御することができる。
【００３１】
前記ダビング部で音声データのダビングをする際、指定されたデータ保存場所にディスクの音声データと異なる識別番号の音声データが既に保存されていると、前記判別部が判別したときは、前記制御部は、前記ダビング部に、指定されたデータ保存場所に新たな音声データを上書きさせることができる。
【００３２】
また、前記ダビング部で音声データのダビングをする際、指定されたデータ保存場所にディスク装填部に装填されたディスクの音声データと識別番号が同一の音声データの全てが既に保存されていると、前記判別部が判別したときは、前記制御部は、前記データ保存場所表示部に、同一音声データが保存されていることを表示させることができる。
【００３３】
更に、前記ダビング部で音声データのダビングをする際、指定されたデータ保存場所にディスク装填部に装填されたディスクの音声データと識別番号が同一ディスクの音声データの一部が既に保存されていると、前記判別部が判別したときは、前記制御部は、前記ダビング部に、保存済みトラックの次のトラックの音声データから続きのダビングを行なわせることができる。
【００３４】
前記複数の表示体は、各データ保存場所における音声データの量をグラフィック表示するものにすると、各データ保存場所の保存データ量を一目で確認することができる。特にグラフィック表示を円グラフ表示とすると、元のデータが記録されているディスクをイメージできるので、保存データ量を、より容易に確認することができる。前記複数の表示体をそれぞれ前記ダイレクトキーとすると、フロントパネルに個々の部品を設けなくて良く、デザインをすっきりさせることができる。
【００３５】
更に、前記音声データの保存量の表示は、ディスクに記録された全音声データ量に対するデータ保存場所に保存された音声データ量の割合を表示するものとすると、元のデータ量の多少に関係なく、元データ量を１００とするときデータ保存場所に元データ量の何パーセントが保存されているかを、一目で確認することができる。
【発明を実施するための最良の形態】
【００３６】
以下、第一の実施形態について、図を用いて説明する。図１は仮想ディスクチェンジャ機能付き音声再生装置の構成を示す概念図で、この装置は、例えば６枚のディスク１ａ〜１ｆに記録された音声データを装置本体１０内に保存しておき、あたかもディスク１ａ〜１ｆの一つを選択する如く操作して、選択された音声データを再生できる。
【００３７】
ディスク１ａ〜１ｆは、音声データが記録されているＣＤ（Compact  Disc）である。なお、ここでいうＣＤは、通常の音楽ＣＤ（ＣＤ−ＤＡ；Compact  Disc  Digital  Audio）、ＣＤ−Ｒ（Compact  Disc  Recordable）、及びＣＤ−ＲＷ（Compact  Disc  Rewritable）などである。音声データは、音楽などを収録したデータである。また、ディスク１ａ〜１ｆは、ＣＤだけでなく、ＭＤなどであっても良い。
【００３８】
装置本体１０は、ディスク装填部１１、ダビング部１２、データ保存部１３、再生部１４、表示部１５、制御部１６及び操作部１７を備えた構成となっている。前記表示部１５及び前記操作部１７は、フロントパネル１８に配設されている。
【００３９】
ディスク装填部１１には、前記ディスク１ａ〜１ｆを一つずつ装填可能あり、ダビング部１２は、前記ディスク装填部１１に装填されたディスクに記録されている音声データをＭＰ３（Mpeg1  Audio  Layer3）形式などで圧縮して前記データ保存部１３にダビングする。なお、前記音声データのダビングは圧縮しない状態で行なっても良い。
【００４０】
各ディスク１ａ〜１ｆは固有の識別番号を有し、各ディスクに記録されている音声データは複数のトラックに区画されている。例えば音声データを音楽データとして以下説明することにすると、１枚のディスクに複数の曲が記録されている場合、１曲ごとにトラック番号が付されることになる。
【００４１】
ダビング部１２は、前記音声データをデータ保存部１３にダビングする際に、各ディスク１ａ〜１ｆが有するＴＯＣ（Table of Contents）情報に基づく、ディスク１ａ〜１ｆに記録されている音楽データのトラック番号と、ディスクの識別番号とを付してダビングする。よって、ディスク保存部１３では、各ディスク１ａ〜１ｆの音楽データに、トラック番号と識別番号とを加えたデータを保存することになる。
【００４２】
前記データ保存部１３に保存されたトラック番号は、ディスク１ａ〜１ｆのトラック番号と同じ番号が付与される。
なお、ディスク１ａ〜１ｆがＭＤの場合は、各ディスク１ａ〜１ｆが有するＵＴＯＣ（User Table of Contents）情報に基づく、トラック番号と識別番号とを付してダビングする。
【００４３】
データ保存部１３は、例えば６つのデータ保存場所２０ａ〜２０ｆを有している。そこで、これらのデータ保存場所２０ａ〜２０ｆに、前記ディスク１ａ〜１ｆの音楽データ等（識別番号及びトラック番号を含む）をダビングする際、ディスク１ａ〜１ｆの音楽データ等の保存先をデータ保存場所２０ａ〜２０ｆの中から任意に指定すると、指定されたデータ保存場所に保存され、ディスクの識別番号とデータ保存場所との対応づけがなされる。
【００４４】
このように、従来のディスクチェンジャ機能付き音声再生装置のディスク収納部（マガジン）に複数のディスクをそれぞれ収納するが如く、６枚のディスク１ａ〜１ｆをデータ保存場所２０ａ〜２０ｆに保存することができる。前記データ保存部１３は、例えばハードディスクや、半導体メディア等の記録媒体で構成される。
【００４５】
なお、本実施の形態では、６つのデータ保存場所２０ａ〜２０ｆを設けるものとしたが、この数に限るものではない。
【００４６】
前記再生部１４では、前記データ保存部１３に保存されている音楽データを再生する。
前記制御部１６は、主要部がＣＰＵ（中央演算装置）などで構成されており、前記ディスク装填部１１、ダビング部１２、データ保存部１３、再生部１４及び表示部１５の各動作を、適宜関連付けてユーザーの操作に応じて制御する。この制御部１６は、更に、判別部２１を備えている。この判別部２１は、ディスク装填部１１に装填されたディスクの識別番号及び保存量と各データ保存場所２０ａ〜２０ｆに保存されている音楽データの識別番号及び保存量とを比較し判別する判別部２１を備えている。
【００４７】
前記制御部１６は、前記ダビング部１２で音楽データのダビングをする際、指定されたデータ保存場所に既に音楽データが保存されていて、その音楽データの識別番号とディスク装填部１１に装填されたディスクの音楽データの識別番号とが異なると、前記判別部２１が判別したときは、前記制御部１６は、前記ダビング部１２に、指定されたデータ保存場所に新たな音楽データを上書きさせる。
【００４８】
また、前記ダビング部１２で音楽データのダビングをする際、指定されたデータ保存場所に既に音楽データが保存されていて、その音楽データの識別番号とディスク装填部１１に装填されたディスクの音楽データの識別番号とが同一であり、当該ディスクの音楽データが全て当該データ保存場所に保存されていると、前記判別部２１が判別したときは、前記制御部１６は、前記データ保存場所表示部２２に、同一音楽データが保存されていることを表示させる。
【００４９】
更に、前記ダビング部１２で音楽データのダビングをする際、指定されたデータ保存場所に既に音楽データが保存されていて、その音楽データの識別番号とディスク装填部１１に装填されたディスクの音楽データの識別番号とが同一であり、当該ディスクの音楽データの一部が当該データ保存場所に保存されていると、前記判別部２１が判別したときは、前記制御部１６は、前記ダビング部１２に、保存済みトラックの次のトラックの音楽データから続きのダビングを行なわせる。
【００５０】
前記フロントパネル１８には、図２の如く、前記表示部１５と前記操作部１７とが隣り合って配設されている。表示部１５は、保存データ量表示部２２と、データ保存場所表示部２３とを備えている。データ保存場所表示部２３では、前記再生部１４で再生中の、又はデータ保存部１３に保存しようとしている音楽データのデータ保存場所２０ａ〜２０ｆを表示する。
【００５１】
保存データ量表示部２２は、図３の如く、各データ保存場所２０ａ〜２０ｆに対応する６つの表示体２４ａ〜２４ｆを有するもので、各表示体２４ａ〜２４ｆは、対応するデータ保存場所２０ａ〜２０ｆに保存されている音楽データの保存量を円グラフ等のグラフィック表示によって表示する。
【００５２】
前記表示体２４ａ〜２４ｆは、ディスクに記録された全音声データ量に対するデータ保存場所に保存された音声データ量の割合を表示する。この表示体２４ａ〜２４ｆは、元のデータ量の多少に関係なく、元データ量を１００とするときデータ保存場所に元データ量の何パーセントが保存されているかを表示する。
【００５３】
具体的には、図３における表示体２４ｄは、ディスクに記録された音声データを図１で示すデータ保存場所２０ｄに全て保存しており、表示体２４ｄは、１００％を表示している。また、図３における表示体２４ａは、ディスクに記録された音声データを図１で示すデータ保存場所２０ａに半分だけ保存しており、表示体２４ａは、５０％を表示している。
【００５４】
図３の如く、操作部１７は、１回の操作で識別番号を直接指定する６個のダイレクトキー２５ａ〜２５ｆと、一操作ごとにトラックを番号の正順または逆順に切換える左右方向のトラックアップ／ダウンキー部２６と、一操作ごとに識別番号を番号の正順または逆順に切換える上下方向の識別番号アップ／ダウンキー部２７と、更に、ダビングキー２８とを備えている。
【００５５】
前記ダイレクトキー２５ａ〜２５ｆについては、いずれかのダイレクトキーを押すことにより、対応するデータ保存場所を一操作で指定して、ディスクに記録された音楽データを再生することができる。
【００５６】
トラックアップ／ダウンキー部２６は、１回押すごとにトラックを番号の正順に切換えるトラックアップキー２６ａと、１回押すごとにトラックを番号の逆順に切換えるトラックダウンキー２６ｂとからなる。これらのキー２６ａ，２６ｂにより任意のトラックを選択することにより、指定されているデータ保存場所の音楽データ中の任意の曲を再生することができる。
【００５７】
識別番号アップ／ダウンキー部２７は、一操作ごとに前記データ保存場所をそれらの配列の正順に切換える識別番号アップキー２７ａと、一操作ごとに前記データ保存場所をそれらの配列の逆順に切換える識別番号ダウンキー２７ｂとからなる。これらのキー２７ａ，２７ｂにより任意の識別番号を選択することにより、指定されているデータ保存場所の音楽データの曲を再生することができる。
【００５８】
前記ダイレクトキー２５ａ〜２５ｆは、データ保存部１３の各データ保存場所２０ａ〜２０ｆに対応しており、このダイレクトキー２５ａ〜２５ｆを設けることにより、前記識別番号アップ／ダウンキー２７ａ，２７ｂのように何度も操作することなく、一操作で瞬時にデータ保存場所を指定することができる。
【００５９】
前記識別番号アップ／ダウンキー部２７とトラックアップ／ダウンキー部２６とは、識別番号アップキー２７ａ及び識別番号ダウンキー２７ｂを縦配列とし、トラックアップキー２６ａ及びトラックダウンキー２６ｂを横配列として、十字状に配置している。なお、本実施の形態では、識別番号アップ／ダウンキー部２６を縦配列、トラックアップ／ダウンキー部２６を横配列としているが、これに限るものではない。
【００６０】
前記ダビングキー２８は、ディスクの音楽データを、前記データ保存部１３にダビングする際に用いるキーであり、ディスクが前記ディスク装填部１１に装填されている状態で、このダビングキー２８を押下すると、ディスクの音楽データを前記データ保存部１３にダビングする準備が完了する。
【００６１】
次に、本実施の形態におけるダビングの動作フローについて図４を参照して説明する。
「ステップＳ１」において、ディスク１ａ〜１ｆの一つを前記ディスク装填部１１に装填（挿入）する。
【００６２】
「ステップＳ２」において、ダビングキー２８を押す。
【００６３】
「ステップＳ３」において、前記判別部２１が、ディスク装填部１１に装填されたディスクの識別番号と前記データ保存場所２０ａ〜２０ｆに保存されているデータの識別番号とを比較し、前記データ保存場所２０ａ〜２０ｆのいずれかに保存されているか否かを判別する。
【００６４】
前記判別部２１が、該データ保存場所２０ａ〜２０ｆのいずれにも保存されていないと判別した場合は「ステップＳ４」に進む。
【００６５】
「ステップＳ４」において、ダイレクトキー２５ａ〜２５ｆのいずれかでデータ保存場所を指定する。
【００６６】
「ステップＳ５」において、前記判別部２１が、ステップＳ４で指定されたデータ保存場所に音声データが既に保存されているか否かを判別する。
【００６７】
前記判別部２１が、指定されたデータ保存場所に音声データが保存されていないと判別した場合は、「ステップＳ６」に進む。
【００６８】
「ステップＳ６」において、前記制御部１６は、ダビング部１２を作動させ、前記ディスク装填部１１に装填されたディスクの音楽データと共に、ディスク固有の識別番号と、音楽データ中の各曲のトラック番号とを、指定されたデータ保存場所にダビングさせる。ダビング部１２は、音声データをＭＰ３などの形式で圧縮をしてダビングを行なう。そして、ステップＳ７に進む。
【００６９】
「ステップＳ７」において、装填されたディスクのダビングが完了する。
【００７０】
「ステップＳ３」で、ディスク装填部１１に装填されたディスクの音楽データが該データ保存場所２０ａ〜２０ｆのいずれかに保存されていると、前記判別部２１が判別した場合は、「ステップＳ８」に進む。
【００７１】
「ステップＳ８」において、前記判別部２１が、ディスク装填部１１に装填されたディスクの保存量と、データ保存場所２０ａ〜２０ｆのいずれかに保存されているデータの保存量とを比較し、データ保存場所２０ａ〜２０ｆに保存されたデータが一部であるか全部であるかを判別する。
【００７２】
「ステップＳ８」で、データ保存場所に保存されている音楽データがディスクに記録されたデータの一部であると、前記判別部２１が判別した場合は、「ステップＳ９」に進む。
【００７３】
「ステップＳ９」において、前記制御部１６は、ダビング部１２に、ディスク装填部１１に装填されたディスクの保存済みトラックの、次のトラックの曲から、続きのダビングを行なわせる。そして「ステップＳ７」に進み、装填されたディスクのダビングが完了する。
【００７４】
「ステップＳ８」で、前記判別部２１が、音楽データの全部がデータ保存場所に保存されていると判別した場合は、「ステップＳ１０」に進む。
【００７５】
「ステップＳ１０」において、前記制御部１６は、前記表示部１５に“保存済み”と表示させる。
【００７６】
「ステップＳ５」で、前記判別部２１が、「ステップＳ４」で指定されたデータ保存場所に音楽データが保存されていると判別した場合は、「ステップＳ１１」に進む。
【００７７】
「ステップＳ１１」において、前記制御部１６は、前記表示部１５に“上書き？”と３秒程表示させ、「ステップＳ１２」に進む。
【００７８】
「ステップＳ１２」において、前記判別部２１は、前記表示部１５に“上書き？”と表示されている間に再度ダビングキー２８が押されたか否か、を判別する。
【００７９】
「ステップＳ１３」においてユーザーは、上書きを望む場合、前記表示部１５に“上書き？”と表示されている間にダビングキー２８を再度押す。「ステップＳ６」に進み、前記制御部１６は、ダビング部１２に上書きさせる。
【００８０】
「ステップＳ１２」で、ユーザーが上書きを望まない場合は、そのまま待機すると、制御部１６は上書きしないと判断し、「ステップＳ４」へ戻る。そこでユーザーは、別の保存場所２０ａ〜２０ｆを指定するべく、別のダイレクトキーを押す。
【００８１】
「ステップＳ４」で、ダイレクトキー２５ａ〜２５ｆのいずれかでデータ保存場所を指定するようにしているが、これに限るものではなく、データ保存場所を指定しないときは、データ保存場所２０ａ〜２０ｆのうち、空いているデータ保存場所が順次選択されて、ディスクの識別番号とデータ保存場所との対応付けがなされ、その選択された保存場所に順次保存されるようにしても良い。
【００８２】
次に、データ保存場所に保存されている音楽データの再生動作について説明する。
まず、図２に示すダイレクトキー２５ａ〜２５ｆの中から、聴きたい曲が保存されているデータ保存場所２０ａ〜２０ｆに対応するダイレクトキーを押す。このとき、表示部１５は見ずに、該当するダイレクトキーのみ見て押せば良い。
【００８３】
すると、図１に示す制御部１６が再生部１４を作動させ、再生部１４が指定されたデータ保存場所の音楽データを再生する。このとき、指定されたデータ保存場所の音楽データは、トラック番号の若い曲から順次再生されるが、次の曲以外の曲を聴きたい場合は、図２に示すトラックアップキー２６ａ又はトラックダウンキー２６ｂを必要回数押下して、所望のトラック番号を選択すれば良い。
【００８４】
音楽データの再生中、制御部１６は表示部１５を制御し、データ保存場所表示部２３に、現在再生されている曲のデータ保存場所及びトラック番号が表示される。図３は、データ保存場所が１、トラック番号が３の曲を再生しているときの状態を示している。
【００８５】
音楽データの再生中、別のデータ保存場所の曲を再生したい場合は、そのデータ保存場所に対応するダイレクトキーを押せば良い。すると、再生部１４は再生中の曲の再生を停止し、指定されたデータ保存場所の曲の再生を開始する。
【００８６】
このように、ダイレクトキー２５ａ〜２５ｆを設けることにより表示部１５を見ずに、該当するダイレクトキーを１回押すだけで聴きたい曲が保存されているデータ保存場所を瞬時に選択することができる。
【００８７】
なお、現在再生中の曲が保存されているデータ保存場所の前後のデータ保存場所を選択したい場合には、識別番号アップキー２７ａ又は識別番号ダウンキー２７ｂを押下することにより、データ保存場所を１番ずつ切換えることができる。
【００８８】
また、データ保存部１３をハードディスク等にすると、一つのデータ保存場所にダビングしながら他のデータ保存場所の音声データを再生することができる。この場合、図４の「ステップＳ７」のダビング完了前に、音声データの再生が開始されることになる。
【００８９】
本実施の形態では、表示部１５に配置された保存データ量表示部２２の表示体２４ａ〜２４ｆが円グラフによるグラフィック表示をするものとしているが、これに限るものではなく、図５に示す表示部３０のように、保存データ量表示部３１の表示体３２ａ〜３２ｆが、棒グラフ状にグラフィック表示するものとしても良い。
【００９０】
本実施の形態では、ダイレクトキー２５ａ〜２５ｆとデータ保存場所とを６つずつ設けるものとしたが、ダイレクトキー及びデータ保存場所の数は、これに限るものではなく、また、データ保存場所をダイレクトキーの数より多く設けても良い。
【００９１】
図６は、６個のダイレクトキー２５ａ〜２５ｆに対して７〜１２のデータ保存場所を設けた別の実施形態を示すもので、フロントパネル４０には、シフトキー４１を新たに追加する。なお、表示体は、各データ保存場所に対応する数だけ設けるものとする。
【００９２】
そして、１〜６番目のデータ保存場所を６個のダイレクトキー２５ａ〜２５ｆに対応させ、７番目のデータ保存場所は、シフトキー４１を押しながら、ダイレクトキー２５ａを押して選択するものとし、８番目以降のデータ保存場所の選択もシフトキー４１を押しながらダイレクトキー２５ｂ等を押して選択するものとする。
【００９３】
このようにすると、ダイレクトキーの数を増やすことなく、７〜１２枚のディスクに記録された音楽データを別々のデータ保存場所にそれぞれダビングすることができ、また、各データ保存場所に保存された音楽データを、再生することができる。
【００９４】
図７は、更に別の実施形態を示もので、フロントパネル５０には、第一、第二の実施形態のようなダビングキーが設けられていない。
そこで、ダイレクトキー２５ａ〜２５ｆの一つを長時間押してダビングを行ない、短時間押して再生を行なうものとする。
【００９５】
ダイレクトキーの押す時間の長短は、例えば１〜２秒間を境とするが、必ずしもこれに限るものではない。
このように、ダビングキーを省略することにより、フロントパネル５０のデザインをすっきりさせることができる。
【００９６】
なお、ダビングと再生との区別はダイレクトキーを押す時間の長短によらず、例えばダビングのときはダイレクトキーを深く押し、再生のときは浅く押すことで区別するようにしても良い。
【００９７】
図８は、更に別の実施形態を示もので、フロントパネル６０には、表示体を兼ねた複数のダイレクトキー６１ａ〜６１ｆが設けられている。これらのダイレクトキーはタッチパネルで形成されており、前記各実施形態におけるダイレクトキーと表示体とを一体化したもので、データ保存場所表示部２３の下方に設けられている。
【００９８】
このように、ダイレクトキー６１ａ〜６１ｆにダイレクトキーと表示体の機能を兼用させることにより、フロントパネル６０にダレクトキーと表示体とを別々に設けなくて良く、デザインをすっきりさせることができる。
【図面の簡単な説明】
【００９９】
【図１】第一の実施形態における仮想ディスクチェンジャ機能付き音声再生装置の構成を示す概念図。
【図２】第一の実施形態におけるフロントパネルの構成図。
【図３】第一の実施形態における表示部の構成図。
【図４】第一の実施形態におけるダビング動作のフローチャート。
【図５】第一の実施形態における別の表示部の構成図。
【図６】別の実施形態におけるフロントパネルの構成図。
【図７】更に別の実施形態におけるフロントパネルの構成図。
【図８】更に別の実施形態におけるフロントパネルの構成図。
【符号の説明】
【０１００】
１ａ〜１ｆ      ディスク
１１            ディスク装填部
１２            ダビング部
１３            データ保存部
１４            再生部
１５            表示部
１６            制御部
１７            操作部
２０ａ〜２０ｆ  データ保存場所
２１            判別部
２２            保存データ量表示部
２３            データ保存場所表示部
２４ａ〜２４ｆ  表示体
２５ａ〜２５ｆ  ダイレクトキー
２６            トラックアップ／ダウンキー部
２６ａ          トラックアップキー
２６ｂ          トラックダウンキー
２７            識別番号アップ／ダウンキー部
２７ａ          識別番号アップキー
２７ｂ          識別番号ダウンキー
２８            ダビングキー
【図２】
2007193926.tif 000003
【図１】
2007193926.tif 000004
【図３】
2007193926.tif 000005
【図４】
2007193926.tif 000006
【図５】
2007193926.tif 000007
【図６】
2007193926.tif 000008
【図７】
2007193926.tif 000009
【図８】
2007193926.tif 000010
【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
音声データが記録されているディスク（１ａ，１ｂ，・・・）を、１つずつ装填可能なディスク装填部（１１）と、
複数のデータ保存場所（２０ａ〜２０ｆ）を有するデータ保存部（１３）と、
前記ディスク装填部に装填されたディスクに記録されている音声データを該ディスクに固有の識別番号を付して、指定されたデータ保存場所にダビングするダビング部（１２）と、
指定されたデータ保存場所に保存されている音声データを再生する再生部（１４）と、
再生中の、又は保存しようとしている音声データの音声データ保存場所を表示するデータ保存場所表示部（２３）、及び前記各データ保存場所を指定する複数のダイレクトキー（２５ａ〜２５ｆ）を有すると共に、前記各データ保存場所に保存されている音声データの保存量を表示するフロントパネル（１８）と、
前記ディスク装填部、ダビング部、データ保存部、再生部及びデータ保存場所表示部の各動作を適宜関連付けて制御する制御部（１６）とを備えた仮想ディスクチェンジャ機能付き音声再生装置。
【請求項２】
前記フロントパネルは、前記各データ保存場所に対応する複数の表示体（２４ａ〜２４ｆ）を有し、各表示体は各データ保存場所に保存されている音声データの保存量を表示することを特徴とする請求項１に記載の仮想ディスクチェンジャ機能付き音声再生装置。
【請求項３】
前記データ保存部は、ディスクに記録されている音声データを圧縮された状態で保存することを特徴とする請求項１に記載の仮想ディスクチェンジャ機能付き音声再生装置。
【請求項４】
前記データ保存部は、ハードディスク又は半導体メディアであることを特徴とする請求項１〜３に記載の仮想ディスクチェンジャ機能付き音声再生装置。
【請求項５】
前記フロントパネルはダビングキー（２８）を更に有し、ダビングキー操作後に前記ダイレクトキーでデータ保存場所を指定することにより、前記ダビング部により指定されたデータ保存場所へのダビングを開始させ、ダビングキーを操作せず前記ダイレクトキーでデータ保存場所を指定することにより、前記再生部により指定されたデータ保存場所の音声データの再生を開始させることを特徴とする請求項１〜３に記載の仮想ディスクチェンジャ機能付き音声再生装置。
【請求項６】
前記ダイレクトキーは、操作時間の長短により、前記再生部による再生開始操作と、前記ダビング部によるダビング開始操作との区別をすることを特徴とする請求項１〜３に記載の仮想ディスクチェンジャ機能付き音声再生装置。
【請求項７】
前記フロントパネルは、一操作ごとに前記データ保存場所をそれらの配列の正順に切換える識別番号アップキー（２７ａ）及び一操作ごとに前記データ保存場所をそれらの配列の逆順に切換える識別番号ダウンキー（２７ｂ）からなる識別番号アップ／ダウンキー部（２７）を更に有することを特徴とする請求項１〜３に記載の仮想ディスクチェンジャ機能付き音声再生装置。
【請求項８】
各ディスクに記録されている音声データは複数のトラックに区画されているものとし、前記フロントパネルは、各データ保存場所に保存されている音声データの中から再生部で再生しようとするトラックを一操作ごとに配列の正順に切換えるトラックアップキー（２６ａ）及び一操作ごとに配列の逆順に切換えるトラックダウンキー（２６ｂ）からなるトラックアップ／ダウンキー部（２６）を更に有することを特徴とする請求項７に記載の仮想ディスクチェンジャ機能付き音声再生装置。
【請求項９】
前記識別番号アップ／ダウンキー部の識別番号アップキー及び識別番号ダウンキーと、前記トラックアップ／ダウンキー部のトラックアップキー及びトラックダウンキーとを、その一方を縦配列、他方を横配列として十字状に配置したことを特徴とする請求項８に記載の仮想ディスクチェンジャ機能付き音声再生装置。
【請求項１０】
前記制御部は、ディスク装填部に装填されたディスクの音声データの識別番号及び保存量と各データ保存場所の識別番号及び保存量とを判別する判別部（２１）を更に備えたことを特徴とする請求項１〜３又は９に記載の仮想ディスクチェンジャ機能付き音声再生装置。
【請求項１１】
前記ダビング部で音声データのダビングをする際、指定されたデータ保存場所にディスクの音声データと異なる識別番号の音声データが既に保存されていると、前記判別部が判別したときは、前記制御部は、前記ダビング部に、指定されたデータ保存場所に新たな音声データを上書きさせることを特徴とする請求項１０に記載の仮想ディスクチェンジャ機能付き音声再生装置。
【請求項１２】
前記ダビング部で音声データのダビングをする際、指定されたデータ保存場所にディスク装填部に装填されたディスクの音声データと識別番号が同一の音声データの全てが既に保存されていると、前記判別部が判別したときは、前記制御部は、前記データ保存場所表示部に、同一音声データが保存されていることを表示させることを特徴とする請求項１０に記載の仮想ディスクチェンジャ機能付き音声再生装置。
【請求項１３】
前記ダビング部で音声データのダビングをする際、指定されたデータ保存場所にディスク装填部に装填されたディスクの音声データと識別番号が同一の音声データの一部が既に保存されていると、前記判別部が判別したときは、前記制御部は、前記ダビング部に、保存済みトラックの次のトラックの音声データから続きのダビングを行なわせることを特徴とする請求項１０に記載の仮想ディスクチェンジャ機能付き音声再生装置。
【請求項１４】
前記複数の表示体は、各音声データ保存場所における音声データの保存量をグラフィック表示することを特徴とする請求項２に記載の仮想ディスクチェンジャ機能付き音声再生装置。
【請求項１５】
前記グラフィック表示を円グラフ表示とすることを特徴とする請求項１４に記載の仮想ディスクチェンジャ機能付き音声再生装置。
【請求項１６】
前記音声データの保存量の表示は、ディスクに記録された全音声データ量に対するデータ保存場所に保存された音声データ量の割合を表示することを特徴とする請求項１４又は１５に記載の仮想ディスクチェンジャ機能付き音声再生装置。
【請求項１７】
前記各ダイレクトキーをタッチパネルで形成し、各ダイレクトキーと前記表示体とを一体化したことを特徴とする請求項１６に記載の仮想ディスクチェンジャ機能付き音声再生装置。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
車載オーディオ用の仮想ディスクチェンジャ機能付き音声再生装置において、
音声データが記録されているディスク（１ａ，１ｂ，・・・）を、１つずつ装填可能なディスク装填部（１１）と、
複数のデータ保存場所（２０ａ〜２０ｆ）を有するハードディスク又は半導体メディアで構成されたデータ保存部（１３）と、
前記ディスク装填部に装填されたディスクに記録されている音声データを該ディスクに固有の識別番号を付して、指定されたデータ保存場所にダビングするダビング部（１２）と、
指定されたデータ保存場所に保存されている音声データを再生する再生部（１４）と、
再生中の、又は保存しようとしている音声データの音声データ保存場所を表示するデータ保存場所表示部（２３）、及び前記各データ保存場所を指定する複数のダイレクトキー（２５ａ〜２５ｆ）を有すると共に、前記各データ保存場所に保存されている音声データの保存量を表示する保存データ量表示部（２２）を有するフロントパネル（１８）と、
前記ディスク装填部、ダビング部、データ保存部、再生部、データ保存場所表示部及び保存データ量表示部の各動作を適宜関連付けて制御する制御部（１６）とを備えた仮想ディスクチェンジャ機能付き音声再生装置。
【請求項２】
前記フロントパネルは、前記各データ保存場所に対応する複数の表示体（２４ａ〜２４ｆ）を有し、各表示体は各データ保存場所に保存されている音声データの保存量を表示することを特徴とする請求項１に記載の仮想ディスクチェンジャ機能付き音声再生装置。
【請求項３】
前記データ保存部は、ディスクに記録されている音声データを圧縮された状態で保存することを特徴とする請求項１に記載の仮想ディスクチェンジャ機能付き音声再生装置。
【請求項４】
前記フロントパネルはダビングキー（２８）を更に有し、ダビングキー操作後に前記ダイレクトキーでデータ保存場所を指定することにより、前記ダビング部により指定されたデータ保存場所へのダビングを開始させ、ダビングキーを操作せず前記ダイレクトキーでデータ保存場所を指定することにより、前記再生部により指定されたデータ保存場所の音声データの再生を開始させることを特徴とする請求項１〜３に記載の仮想ディスクチェンジャ機能付き音声再生装置。
【請求項５】
前記複数の表示体は、各音声データ保存場所における音声データの保存量をグラフィック表示することを特徴とする請求項２に記載の仮想ディスクチェンジャ機能付き音声再生装置。
【請求項６】
前記グラフィック表示を円グラフ表示とすることを特徴とする請求項５に記載の仮想ディスクチェンジャ機能付き音声再生装置。
【請求項７】
前記音声データの保存量の表示は、ディスクに記録された全音声データ量に対するデータ保存場所に保存された音声データ量の割合を表示することを特徴とする請求項５又は６に記載の仮想ディスクチェンジャ機能付き音声再生装置。
【請求項８】
前記各ダイレクトキーをタッチパネルで形成し、各ダイレクトキーと前記表示体とを一体化したことを特徴とする請求項７に記載の仮想ディスクチェンジャ機能付き音声再生装置。